(57)【特許請求の範囲】
【請求項１】
アノードと、カソードと、少なくとも１つのカソード活性材料と、セパレータ（１）とを有するリチウム硫黄電池であって、
前記セパレータ（１）は、少なくとも１つの第１の層（５）と、少なくとも２つの第２の層（６、７）とを含む、
リチウム硫黄電池において、
前記少なくとも１つの第１の層（５）は、前記カソード活性材料に関して親和性の特性を有している材料である、少なくとも１つのヘテロ原子を有しているポリマーを含んでおり、
前記少なくとも２つの第２の層（６、７）は、前記カソード活性材料に関して不親和性の特性を有している材料であり、アニオン基および／または負の極性を有する基によって官能化されたポリマーである、ポリスチロールの誘導体を含んでおり、
１つの前記第１の層（５）が、２つの前記第２の層（６、７）の間に配置されており、
前記セパレータ（１）の、アノード側の最終層を除く総ての前記第１の層（５）及び前記第２の層（６、７）内に、導電性添加物が配置されている、
ことを特徴とするリチウム硫黄電池。
【請求項２】
前記セパレータ（１）は、３＋２ｎ個（ｎは、０以上の整数）の層を有しており、ここで前記３＋２ｎ個の層は、前記第１の層（５）と前記第２の層（６、７）に関して、交互に配置されている、請求項１記載のリチウム硫黄電池。
【請求項３】
前記導電性添加物（１０）は、グラファイトまたはカーボンブラックである、請求項１または２記載のリチウム硫黄電池。
【請求項４】
前記各第１の層（５）は、１μｍ以上１００μｍ以下の範囲の厚さを有しており、および／または、前記各第２の層（６、７）は、１μｍ以上１００μｍ以下の範囲の厚さを有している、請求項１から３までのいずれか１項記載のリチウム硫黄電池。
【請求項５】
前記各第１の層（５）は、１０μｍ以上５０μｍ以下の範囲の厚さを有しており、および／または、前記各第２の層（６、７）は、１０μｍ以上５０μｍ以下の範囲の厚さを有している、請求項４記載のリチウム硫黄電池。
【請求項６】
前記少なくとも１つの第１の層（５）および／または前記少なくとも２つの第２の層（６、７）は多孔性である、請求項１から５までのいずれか１項記載のリチウム硫黄電池。
【請求項７】
前記少なくとも１つの第１の層（５）および／または前記少なくとも２つの第２の層（６、７）は、電解液を受容するためのものである、請求項６記載のリチウム硫黄電池。
【発明の詳細な説明】
【技術分野】
【０００１】
本発明は、エネルギー蓄積器用のセパレータに関する。本発明は殊に、周期安定性が改善されたリチウム硫黄電池用のセパレータおよびこのセパレータを含むリチウム硫黄電池に関する。
【０００２】
従来技術
二次電池は、多くの使用領域に対して大きいポテンシャルを有している。ここでは、例えばレドックス対であるリチウム／硫黄に基づく二次電池が、硫黄の高い特別な容量のため、特に有利である。しかし多くの用途では、殊に、このようなエネルギー蓄積器の周期安定性はさらなる改善のポテンシャルを有し得る。
【０００３】
例えば、リチウム／硫黄電池の場合には、これが、場合によってはいわゆるシャトル機構を有していることが公知である。これは、実質的に、生じているリチウム硫黄種の種々の可溶性に基づいている。詳細には、このような電池内で進行する全体的な反応Ｌｉ＋Ｓ８⇔Ｌｉ２Ｓは、３〜８の間の硫黄鎖長さを有する複数のポリ硫化中間段階を含んでいる。これは、流布している電解質システムにおいて良好に分解可能である。反応生成物Ｌｉ２Ｓ２およびＬｉ２Ｓは、これに対して多くの溶解手段ないしは電解質システムにおいてほぼ分解不可能である。
【０００４】
多硫化物の種々の可溶性に基づいて、鎖の長い多硫化物が金属製のリチウムアノードへと拡散する。ここでこれは直接的にリチウムと反応し、低減される。ここで生じる平均的な長さの鎖および短い長さの鎖の多硫化物が同様にカソードへと拡散し、ここで再び、長い鎖の多硫化物に酸化される、または、より高い硫黄酸化段階を有している存在している硫黄種とも共均一化反応する。アノードでのリチウムとの反応時に、例えば、不溶性の硫黄種が形成され得る。これはアノードで沈殿し得る。迅速な多硫化物シャトルはさらに、セルの完全な再充電を困難にし得る、または、阻止し得る。
【０００５】
文献ＵＳ７２８２２９６Ｂ２号から、殊に、アクティブな金属アノードを、空気、湿気または別の電池成分との有害反応から保護するセパレータおよび電極構造が公知である。セパレータはここで、高いイオン伝導度合いを有するべきであり、これによって製造を容易にし、電池の性能を改善する。ここでセパレータは、化学的なコンパチビリティが異なる２つの層を有している。第１の層は直接的に、アノードに接しており、アノードに対して化学的にコンパチブルである。従ってこれは、電池の別の成分、周辺環境またはアノード自体と、電池に対する有害結合を形成しない。第２の層は実質的に、電池の別の成分（例えば電解質）および周辺環境の別の成分に対して不透過性であり、これらの成分と電池の接触接続を阻止する。第２の層はここで、第１の層に対して化学的にコンパチブルである。
【０００６】
本発明の開示内容
本発明の対象は、エネルギー蓄積器、殊にリチウム硫黄電池用のセパレータであり、これは少なくとも１つの第１の層と、少なくとも１つの第２の層とを含んでおり、この少なくとも１つの第１の層は、少なくとも１つの電極活性材料に関して親和性の特性を有する材料を含んでおり、少なくとも１つの第２の層は、電極活性材料に関して不親和性特性を有しており、ここで少なくとも１つの第１の層と少なくとも１つの第２の層は殊に、直接的に隣接して配置されている。
【０００７】
本発明でのセパレータは、殊に、エネルギー蓄積器内でアノードとカソードを分断するための手段である。ここでこのセパレータは殊に、不所望な活性材料がアノードからカソードに達し、殊に、カソードからアノードに達するのを阻止する。さらに、セパレータは、アノードとカソードを電気的に相互に分断するのに用いられる。
【０００８】
活性材料はさらに、殊に、エネルギー蓄積器に自身の元来の機能性を与える材料ないしはエネルギー蓄積器の機能に必要な材料である。ここでこの活性材料は、例えば、エネルギー蓄積器が充電された状態において存在し、電子化学的なプロセスによって、放電過程の間に分解される。択一的に、活性材料は放電過程の間に形成され、エネルギー蓄積器の放電された状態において存在し得る。さらに、本願発明の活性材料とは、次のような材料のことである。すなわち、アノードおよび／またはカソード内に配置されている材料から、充電過程および／または放電過程の間に行われる電子化学プロセスによって形成される中間段階である。リチウム硫黄電池の場合には、例えば、活性材料とは、例示的な意味で、かつ制限するものではなく、種々のリチウム硫化物種ないしは多硫化物種である。
【０００９】
セパレータは本発明では、少なくとも１つの第１の層と少なくとも１つの第２の層とを有している。層とは、本発明では、殊に各適切な層のことである。ここではセパレータは少なくとも１の第１の層と少なくとも１つの第２の層、すなわち全体的に少なくとも２つの層を有している、または、有利には多数の層を有している。
【００１０】
本発明では、第１の層は次のような材料を含んでいる、または、次のような材料から成る。すなわち、少なくとも１つの電極活性材料に関して親和性の特性を有している材料である。これは本発明では、殊に、第１の層が少なくとも１つの活性材料に関して吸引力を有していることを意味する。殊に、親和特性は例えば立体化学的結合、共有結合または静電結合しようと努めることを含んでいる。従って、殊に、僅かな吸引力から、各状態の共有結合までに含まれる。これによって、活性材料を第１の層に固定することができる。第２の層はさらに、電極活性材料に関して不親和性の特性を有する材料を含んでいる、またはこのような材料から成る。不親和性の特性とは、本発明では、殊に、親和性が存在しないのではなく、例えば突き放す力が存在することである。これは例えば、同様に、静電力によって実現される。さらに、本発明での不親和性の特性とは、同様に、活性材料を通さないことである。これは例えば、それを通って活性材料が達する孔または貫通チャネル等を有していない第２の層が設けられていることによって行われる。従って、活性材料のためのこの第２の層は、透過性ではない。従って、第２の層は、活性材料に対するバリヤ、例えば拡散バリヤを形成する。
【００１１】
この少なくとも１つの第１の層と、少なくとも１つの第２の層はここで有利には直接的に隣接して配置され得る。これは本発明では殊に次のことを意味している。すなわち、少なくとも２つのこれらの層が中間層を配置することなく設けられている、すなわち相互に直接的に接していることを意味している。
【００１２】
本発明のセパレータによって、活性材料が不所望に、例えばカソードからアノードに達してしまうこと、またはアノードからカソードに達してしまうことが格段に低減される、または、むしろ完全に阻止される。これによって例えば、リチウム硫黄電池の場合には、殊に、シャトルメカニズムが効果的に阻止される。
【００１３】
これによって例えば、充電過程および／または放電過程の効率がより効果的になり、さらに、不溶性の沈殿物による活性材料の損失が低減される、または、完全に阻止される。さらに、例えば、リチウム硫黄電池の場合には、元素状態で存在する硫黄内での多硫化物の完全な酸化が保証される。これによって、容量が改善する。
【００１４】
全体的に少なくとも２つの層から成る本発明の多層構造によって、保持作用が特に有効になる。詳細には例えば第２の層によって、活性材料の移動が既に格段に低減される、またはむしろ完全に阻止される。活性材料不親和性特性を有する第２の層のこのような構造にもかかわらずに、活性材料が第２の層を貫通する場合には、これは第１の層によって引きつけられ、ここに留まる。このようにして、活性材料が第２の層を通過してしまった場合にも、対向電極への移動が低減される。択一的に、活性材料はまず第１の層内に固定され、これによって第２の層の通過がさらに困難になる。従って、活性材料の保持は、従来技術から公知の解決方法に対して格段に低減される。
【００１５】
さらに、セパレータは、ほぼ制限されない周期持続時間にわたって安定したままである。これによって、活性材料の保持も多くの周期数にわたって、安定する。これは、セパレータ自体の長期安定性を高め、さらに、このセパレータが設けられているエネルギー蓄積器の長期安定性を高める。
【００１６】
さらに、本発明のセパレータは、個々の層の形状およびデザインに関して、ほぼ制限されずに実施可能である。従って、本発明のセパレータは、多くの用途に適合可能である、ないしは多くの用途に対して使用可能である。これによって、本発明のセパレータが設けられているエネルギー蓄積器も、多くの用途を有するようになる。
【００１７】
ここで基本的に、どの配向にこれらの層が配置されるのかは自由に選択可能である。しかし有利には、第２の層は、その活性材料が保持されるべき電極に向けて配向される。従って、リチウム硫黄電池の場合には、例えば第２の層はカソードの方向に配向可能である。これに対して第１の層は、アノードの方向に配向可能である。この場合には、活性材料は、カソードの空間的な周辺内に保持され、これは、容量をさらに改善することができる。
【００１８】
ある実施形態では、セパレータは、３＋２ｎ個の層を有することができる。ここで３＋２ｎ個の層は、第１の層および第２の層に関して交互に配置可能である。従って全体的に、本発明のセパレータは、特に有利には、２つより多くの層に拡がる。本発明では、この実施形態において、２つの層、すなわち１つの第１の層と１つの第２の層を設ける他に、殊に３つ以上の層が設けられ得る。これは特に有利には、層配置が、常に、活性材料に関して親和性の特性を有する第１の層と活性材料に関して不親和特性を有する第２の層ぶんだけ拡張されることによって実現される。従って、常に、３＋２ｎ個の層が存在する。ここで、ｎは０または各整数であり得る（ｎ＝０、１、２、３・・・）。この構成では常に、奇数の層が設けられているので、さらに有利には、それぞれ第２の層が、第１の層よりも多く存在し得る。従ってこの実施形態では、常に有効なバリヤを活性材料に対して形成する、または活性材料を引きつける多くの層が設けられる。これによって特に効果的に、活性材料が電極から対向電極へと移動するのが阻止される。
【００１９】
さらに、殊に、この実施形態では、３つ以上の層が設けられている場合に、ある実施形態では、第１の層が第２の層の間に配置され得る。この実施形態では、活性材料に対する効果的なハウジングないしはかごが実現される。その内部では活性材料が固定される。詳細には、活性材料は、活性材料に関して親和性の層によってのみ引きつけられるないしは結合されるのではない。さらに付加的に、第１の層を制限している２つの第２の層によって、第１の層からの流出が阻止される。従って、活性材料の不所望な移動、例えばアノードからカソードへの移動が、この実施形態においてはさらに効果的に阻止される。このような構成はここで、３つの層を設ける場合だけではなく、多数の第１ないしは第２の層を設ける場合にも可能である。殊に、３つ以上の層を設ける場合、この実施形態では、活性材料の通過が特に効果的に阻止される。なぜなら、活性材料に対して多数のハウジングが形成されているからである。従って、活性材料が１つのハウジングを通過する場合でも、活性材料は隣接するハウジング内で確実に固定される。このような構成は、ここで基本的に、各適切な層組み合わせないしは層配置によって形成可能である。さらに、１つの第１の層のみ、または任意の数の第１の層を、２つの第２の層の間に配置することができる。
【００２０】
別の構成では、セパレータは、殊に少なくとも１つの第１の層内に配置されている伝導性添加物（Leitzusatz）を有し得る。伝導性添加物を設けることによって、第１の層内に集合する活性材料による容量損失が阻止される。詳細には、殊に第１の層内で不動にされている、ないしは、第１の層内に位置付けされている活性材料が基本的にまずは、エネルギー蓄積器の機能のための活性の電極成分としてもはや使用可能でなくなる。活性材料は例えばアノードに達しないので、またこれがひとりでにカソードに移動できない場合にも、この状態は場合によっては活性材料の損失、ひいては場合によっては、本発明のセパレータが設けられているエネルギー蓄積器の容量損失を生じさせ得る。このような作用は、この実施形態では効果的に阻止される。従って、セパレータ層ひいては活性材料の電気的な接触接続が実現され得る。
【００２１】
伝導性添加物は本願発明では殊に、導電性の材料であり、例えばグラファイトまたはカーボンブラックである。これは有利には少なくとも１つの第１の層内に配置され得る。なぜなら殊に、ここでは活性材料の高い濃度が予期されているからである。しかし少なくとも１つの第２の層内でも、接触接続を実現するために伝導性添加物を使用することができる。この接触接続によってここでは、層構造内に不動化された活性材料の電子化学的な酸化および還元が可能になる。これによって、エネルギー蓄積器の容量が、安定的に保たれる。しかし有利には伝導性添加物は、全ての層内に配置されるのではない。なぜなら、そうでないと、場合によっては、アノードとカソードとの間の電気的な接続が短絡を生じさせることがあるからである。少なくとも１つの層は、伝導性添加物無く構成され得る。ここで有利には、アノードの方に配向されている層、すなわち殊に最終層は、伝導性添加物を有していない。この場合には、活性材料は依然として問題なく、例えば、カソードと相互作用することができる。
【００２２】
ここで有利には、伝導性添加物は、２０％以上の量で存在する。この量では既に、層構造体ないしは層構造体内に位置付けされている活性材料の充分な電子化学結合が実現される。しかしここで、活性材料に関する親和性ないしは不親和性の特性は実質的に保持される。
【００２３】
別の構成では、この少なくとも１つの第１の層は、１μｍ以上１００μｍ以下の領域の厚さ、例えば１０μｍ以上５０μｍ以下の厚さを有し得る、および／または、少なくとも１つの第２の層は、１μｍ以上１００μｍ以下の領域の厚さ、例えば１０μｍ以上５０μｍ以下の厚さを有し得る。このような厚さは、効果的なバリヤないしは充分な大きさの受容領域を形成するのに充分である。さらに、セパレータが格段に個別化される。これによって、本発明のセパレータは殊に、この実施形態において、多数のコンパクトな用途にも使用可能になる。
【００２４】
別の実施形態では、少なくとも１つの第１の層は少なくとも１つのヘテロ原子を有しているポリマーを含んでいる、または、これから成る、および／または、第２の層は、アニオン基および／または負の極性が与えられた基によって官能化されたポリマーを含んでいる、または、これから成る。第１の層の材料に関して、少なくとも１つの、殊に個々の原子として分子構造内に埋設されたヘテロ原子を有するポリマーが特に適している。なぜなら、これは特に強い親和性を、例えば、多硫化物に対して有しているからである。従ってこれらの材料は、リチウム硫黄電池内での使用に対して有利である。ここで、このヘテロ原子は自由に選択可能である。非制限的な例は、酸素または硫黄を含んでいる。第１の層に対するポリマーの例は、ポリエチレン酸化物またはその誘導体等を含んでいる。誘導体は、ここで殊に、ポリエチレン酸化物をベースにしているないしはポリエチレン酸化物を含有している材料を意味している。第２の層に対する材料に関しては、アニオン基および／または負の極性が与えられた基によって官能化されたポリマーが有利である。ここでこのようなポリマーは、殊に、その負の電荷または極性が、大きい分子領域にわたって局部化されているアニオン基または負の極性が与えられた基を有し得る。従ってこれは殊に、変化形の負の電荷または極性を有するポリマーのことであり得る。このようなポリマーは、充分に高いリチウムイオン伝導性を、リチウムイオンとの僅かな相互作用のみによって実現することができる。さらに、このようなポリマーは、殊に非局在化された負の電荷に基づいて、ないしは負の極性に基づいて、相応する硫化物種に対する静電的な突き離し力を提供する。これによって、バリヤ作用が、リチウムイオン搬送に悪影響を及ぼさずに、形成される。アニオン系の官能化されたポリマーに対する例は、ポリスチロールの誘導体であり、これは例えばポリスチロールスルホン酸塩、４−ハロゲン−ポリスチロール（ここでは、ハロゲンはブロム、沃素またはクロールであり得る）、４−ニトロ−ポリスチロール、４−ヒドロキシ−ポリスチロール、２，６−ジヒドロキシ−４−ニトロ−ポリスチロールまたはこれらの適切な組み合わせである。
【００２５】
別の実施形態では、この少なくとも１つの第１の層および／またはこの少なくとも１つの第２の層は、殊に電解質液を受容するために多孔性であり得る。適切な電解質系は、例えばリチウムビストリフルオロメタンスルホニルイミド（ＬｉＴＦＳＩ）における１，３−ジオキソラン（ＤＯＬ）およびジメトキシエタン（ＤＭＥ）を含んでいる。従ってこの構成では、セパレータは、適切な電解質を受け入れることができ、従って良好なイオン伝導性が得られる。ここで、第１の層ないしは第２の層の材料の選択時に、イオン伝導特性を考慮する必要はない。相応する材料の選択はむしろ、活性材料との相互作用に向けられる。従ってこの構成ではセパレータは、特に効果的である。適切な多孔率は、ここで、２０％以上９０％以下の範囲、殊に３０％以上７０％以下の範囲にある。
【００２６】
本発明の構成要件はさらに、エネルギー蓄積器、殊にリチウム硫黄電池であり、これは少なくとも１つの本発明のセパレータを含んでいる。本発明のエネルギー蓄積器は殊に、セパレータに関して記載した利点を有している。詳細には、本発明のエネルギー蓄積器は殊に、改善された周期特性と改善された耐久性を有している。
【００２７】
本発明の構成要件の別の利点および有利な構成を図示し、以下の明細書で説明する。図面は説明のためだけのものであり、本発明をいかようにも制限するものではないことに留意されたい。
【図面の簡単な説明】
【００２８】
【図１】本発明のエネルギー蓄積器内に配置されている本発明のセパレータの１つの実施形態の概略図
【図２】本発明のエネルギー蓄積器内に配置されている本発明のセパレータの別の実施形態の概略図
【図３】本発明のエネルギー蓄積器内に配置されている本発明のセパレータの別の実施形態の概略図
【実施例】
【００２９】
図１には、本発明のセパレータ１の実施形態が示されている。セパレータ１は、殊にエネルギー蓄積器２内に配置される。エネルギー蓄積器２は、例えばリチウムイオン電池であり得る。これは、電動工具、コンピュータ、ハイブリッド車両、電気車両または別の様式の移動用途または定常用途に使用される。ここでは殊に、高い特別なエネルギーを有するエネルギー蓄積器２が有利である。
【００３０】
エネルギー蓄積器２は、アノード３とカソード４とを有している。アノード３とカソード４は、ここで殊に、エネルギー蓄積器２の種類に依存して構成されており、適切な活性材料を含み得る。リチウム硫黄電池の場合には、例えば、アノードは金属リチウムから形成され得る。カソード４はさらにカソードマトリクスを形成し得る。これは典型的に硫黄、伝導性添加物、例えばグラファイト、カーボンブラック、カーボンナノチューブ、カーボンナノファイバーまたは、別の導電性炭素種、並びに結合剤、例えばポリフッ化ビニリデン（ＰＶＤＦ）、セルローズベースの結合剤またはテフロンを含み得る。伝導性添加物は有利であり得る。なぜなら、元素状態の硫黄も、硫化リチウムおよび二硫化リチウムも導電性でないからである。殊に、カソード４はここで、リチウム硫黄セルの場合には、エネルギー蓄積器２の充電状態に応じて、多硫化物を活性材料として有している。
【００３１】
例えば、カソード４からアノード３への活性材料の移動を阻止するために、セパレータ１は少なくとも１つの第１の層５と少なくとも１つの第２の層６、７を含んでいる。図１では、２つの層６、７が設けられている。ここで少なくとも１つの第１の層５は、少なくとも１つの電極活性材料（例えば１つまたは複数の多硫化物）に関して親和性の特性を有している材料を有している。これに対して、少なくとも１つの第２の層６、７は少なくとも１つの電極活性材料（例えば１つまたは複数の多硫化物）に関して不親和性の特性を有している材料を有している。図１では、ここで、少なくとも１つの第１の層５と少なくとも１つの第２の層６、７が直接的に隣接して配置され得ることが見て取れる。さらに、図１では、少なくとも１つの第１の層５が、それぞれ、２つの第２の層６、７の間に配置されている。
【００３２】
少なくとも１つの第１の層５は、１μｍ以上１００μｍ以下の範囲、例えば１０μｍ以上５０μｍ以下の範囲の厚さを有している。択一的または付加的に、少なくとも１つの第２の層６、７は、１μｍ以上１００μｍ以下の範囲、例えば１０μｍ以上５０μｍ以下の範囲の厚さを有している。これによって、所望の、セパレータ１の保持特性が特に有効になる。ここでは良好な小型化が実現される。
【００３３】
さらに、少なくとも１つの第１の層５は、少なくとも１つのヘテロ原子を有するポリマーを含んでいる、および／または、少なくとも１つの第２の層６、７は、アニオン基および／または負の極性を有する基によって官能化されたポリマーを含んでいる。制限するものでない有利な例は、少なくとも１つの第１の層５に対してポリエチレン酸化物またはポリエチレン酸化物の誘導体を含んでおり、少なくとも１つの第２の層６、７に対してポリスチロールまたはポリスチロールの誘導体を含んでいる。
【００３４】
相応する層５、６、７に対する材料の選択に依存せず、良好なイオン伝導性をセパレータ１によって設定するために、ひいてはエネルギー蓄積器２の性能強化された機能を実現するために、少なくとも１つの第１の層５および／または少なくとも１つの第２の層６、７は、多孔性であり得る。これによって、殊に電解液が受容される。ここで、全体的なセパレータは多孔性であり得る、または所定の電解質領域のみが多孔性であり得る。
【００３５】
図２には、本発明のセパレータ１ないしは本発明のエネルギー蓄積器２の別の実施形態が示されている。セパレータ１ないしはエネルギー蓄積器２は、ここで、実質的に、図１の記載に相応する。従って、同じまたは相応する構成部分には同じ参照番号が付けられている。さらに図１に示されたセパレータ１ないしはエネルギー蓄積器２の特徴は、同様に、図２に示されているセパレータ１ないしはエネルギー蓄積器２にも当てはまる。
【００３６】
図２の実施形態では、セパレータ１は、全体で５つの層を含んでいる。ここでは２つの第１の層５および８と、３つの第２の層６、７および９が設けられている。図１の実施形態と同様に、図２の実施形態でも、セパレータ１は３＋２ｎ個の層を有している。ここで３＋２ｎ個の層は、第１の層５、８と第２の層６、７、９に関して交互に配置されている。
【００３７】
図３には、本発明のセパレータないしは本発明のエネルギー蓄積器２の別の実施形態が示されている。このセパレータ１ないしはエネルギー蓄積器２は、ここで、実質的に、図１および２に示されたものに相応する。従って同じまたは相応する構成部分には同じ参照番号が付けられている。さらに、図１に示された、セパレータ１ないしはエネルギー蓄積器２の特徴は、図３に示されたセパレータ１ないしはエネルギー蓄積器２に同様に当てはまる。
【００３８】
図３では、セパレータ１は伝導性添加物１０を有している。この伝導性添加物１０は例えば、少なくとも第１の層５のみ、ないしは複数の第１の層５、８内に配置可能である。さらに、伝導性添加物はあらゆる任意の層に配置可能である。しかし有利には、伝導性添加物はアノード３の方を向いている層７内には設けられていない。
【００３９】
伝導性添加物は例えばグラファイトまたはカーボンブラックを有し得る、またはこれらの材料から成る。さらに伝導性添加物１０は２０％以下の範囲内の量で存在している。
【図１】
0005859122.tif 000002
【図２】
0005859122.tif 000003
【図３】
0005859122.tif 000004